【事件の表示】
　特願２０１７−１９９１４０「冷蔵庫」拒絶査定不服審判事件〔平成３０年　１月１１日出願公開、特開２０１８−　　４２５０〕について、次のとおり審決する。
【結　論】
　本件審判の請求は、成り立たない。
【理　由】
第１　手続の経緯
　本願は、平成２５年６月２８日に出願した特願２０１３−１３６８５６号の一部を、平成２９年１０月１３日に新たな特許出願としたものであって、その後の手続の概要は、以下のとおりである。
　平成３０年７月１８日に手続補正書の提出
　平成３０年８月１７日付けで拒絶理由の通知（平成３０年８月２１日発送）
　平成３０年１０月５日に意見書及び手続補正書の提出
　平成３１年２月１５日付けで拒絶査定（平成３１年２月１９日発送）
　令和元年５月１７日に拒絶査定不服審判の請求
　令和２年３月１１日付けで拒絶理由の通知（令和２年３月１７日発送）
　令和２年５月１３日に意見書及び手続補正書の提出
第２　本願発明
　本願の請求項１及び２に係る発明は、令和２年５月１３日に提出された手続補正書により補正された特許請求の範囲の請求項１及び２に記載された事項により特定されるとおりのものであるところ、その請求項１に係る発明（以下「本願発明」という。）は以下のとおりのものである。
「【請求項１】
　冷蔵庫本体の前面開口部に取り付けられた扉本体と、
　前記扉本体の前面に設置された非導電性の前面板と、
　前記扉本体における前記前面板の裏側に設置され、情報の無線通信を行う無線通信部と、を備え、
　前記前面板の裏面の前記無線通信部に対向する位置には導電性部材が配置されておらず、前記前面板の裏面の当該位置と異なる位置に導電性部材が配置され、
　前記扉本体は左右一対設けられ、
　前記無線通信部は、前記左右一対の扉本体のうちの一方の扉本体に設けられ、かつ、前記冷蔵庫本体の左右の側壁のうち、当該一方の扉本体が位置する側の側壁に近い位置に設けられ、
　前記導電性部材は、前記左右一対の扉本体のうちの他方に設けられていることを特徴とする冷蔵庫。」
第３　令和２年３月１１日付けで通知した拒絶の理由
　当審において、令和２年３月１１日付けで通知した拒絶の理由における理由１は、概ね以下のとおりである。
＜理由１（進歩性）＞
　本願の請求項１〜３に係る発明は、本願の出願前に日本国内又は外国において、頒布された又は電気通信回線を通じて公衆に利用可能となった以下の引用文献１〜４に記載された発明に基いて、又は、引用文献２〜４に記載された発明に基いて、その出願前にその発明の属する技術の分野における通常の知識を有する者（以下「当業者」という。）が容易に発明をすることができたものであるから、特許法第２９条第２項の規定により特許を受けることができない。
　引用文献１：特開平５−１３３６７７号公報
　引用文献２：特開２０１３−６１１３３号公報
　引用文献３：特開２００５−２６０８９１号公報
　引用文献４：特開２００８−２７５２６７号公報
第４　引用文献
１　引用文献１
（１）引用文献１の記載
　当審において通知した拒絶の理由に引用された、本願の出願前に頒布された引用文献１には、「冷蔵庫の扉体」に関し、次の記載がある。なお、下線は当審において付したものである（他の引用文献についても同様。）。
「【０００１】
【産業上の利用分野】本発明は冷蔵庫の意匠性を向上した扉体の構成に関する。
【０００２】
【従来の技術】近年、冷蔵庫の扉体は意匠性を向上するために、色数を増やし、その色に光沢をもたしてきた。そして、その光沢に深みをもたし、更に意匠性を向上する傾向にある。
【０００３】従来この種の冷蔵庫の扉体としては、1990年2月発売の松下冷機株式会社製冷蔵庫「ＮＲーＦ４６Ｋ１」の扉体がある。以下、図面を参照しながら上述した従来の冷蔵庫の扉体の一例について説明を行なう。
【０００４】図１２は扉体の斜視図であり、図１３は扉体の断面図である。図において、１は鉄板１ａに、透明層１ｂと印刷層１ｃからなる厚み０．１ｍｍの化粧フィルム１ｄを接着剤１ｅで貼付けた外面板である。２は外面板１に対向して配置された内板である。３は外面板１の全周に挿入する略コ字状の外面板挿入部３ａを有する枠体である。４は外面板１と内板２と枠体３で出来る空間内に発泡充填された断熱材である。５は前記枠体３の断熱材４側に挿入された扉体の補強材である。
【０００５】
【発明が解決しようとする課題】しかしながら上記のような構成では、化粧フィルムにて光沢を出しているが、化粧フィルムを厚くできないため、光沢に深みをもたせることが出来ない。
【０００６】また、化粧フィルムを鉄板に貼付ける時、気泡・ゴミを閉じ込める、接着剤の凹凸をひらう、また、鉄板の表面の凹凸をひらう等により、外面板の表面が凸凹になり平面にならない。
【０００７】また扉体に冷熱を掛けると、鉄板と化粧フィルムの線膨張率の差により接着剤が剥がれ浮き上がり、扉体表面に凹凸が出来る。
【０００８】また、発泡充填された断熱材により扉体表面の外面板が凹凸になるという問題点を有していた。
【０００９】
本発明は上記問題点に鑑み、扉体表面に凹凸がなく真直であり、しかも光沢に深みをもたすことが出来、デザイン的にも多種に対応できる冷蔵庫の扉体を提供するものである。
【００１０】
【課題を解決するための手段】上記課題を解決するために
本発明の冷蔵庫の扉体は、前面に透明層と、裏面に着色層を有する着色ガラス板と、前記着色ガラス板の全周に設けた枠体と、前記着色ガラス化粧板に対向して設けた内板と、前記着色ガラス板・枠体・内板間に発泡充填された断熱材からなるという構成を備えたものである。
「【００２４】
【実施例】以下本発明の一実施例について、図１から図１１を参照しながら説明する。なお従来と同一部分については同一符号を付して詳細な説明を省略する。
（実施例１）図１は第一の実施例における扉体の斜視図であり、図２は扉体の断面図である。図において、
６は前面に透明層６ａと、裏面に溶融着色した着色層６ｂを有する着色ガラス板である。２は着色ガラス板６に対向して配置された内板である。７は着色ガラス板６の全周に挿入する略コ字状の着色ガラス板挿入部７ａを有する枠体である。４は着色ガラス板６と内板２と枠体７で出来る空間内に発泡充填された断熱材である。
【００２５】第一の実施例の冷蔵庫の扉体において次の効果がある。
１．
印刷部の前に位置するガラス板にて光沢を出すとともに、光沢に深みをもたすことが出来る。
【００２６】２．表面を１部品で構成しているため、化粧フィルムを鉄板に貼付けることがなく、気泡・ゴミを閉じ込める、また、接着剤の凹凸をひらう、また、鉄板の表面の凹凸をひらう等がなく、扉体の表面が凸凹になることがない。
【００２７】３．表面を１部品で構成している為、扉体に冷熱を掛けた時の線膨張率の差により接着剤が剥がれ浮き上がることがない。
【００２８】４．扉体表面はガラス板で剛性があるため、発泡充填された断熱材により凹凸になることがなく、扉体表面が凹凸になることはない。
【００２９】５．扉体表面がガラス板であり割れる心配があるが、ガラス板の裏には発泡断熱材があり、ガラス板に外力が加わわれば断熱材が外力を緩衝する、また、ガラスの最も弱い端面は枠体にて保護しているので割れることがない。
【００３０】６．断熱材が発泡する時、ガラス板の着色層背面を滑っていき扉体への充填性がよい。
【００３１】７．ガラス板に剛性があるため、従来、扉体に入っていた補強板を廃止することが出来る。」
「
」
（２）引用発明１
　上記（１）によると、引用文献１には、次の事項からなる発明（以下「引用発明１」という。）が記載されていると認める。
「前面に透明層６ａと、裏面に着色層６ｂを有する着色ガラス板６と、前記着色ガラス板６の全周に設けた枠体７と、前記着色ガラス板６に対向して設けた内板２と、前記着色ガラス板６・枠体７・内板２間に発泡充填された断熱材４からなる扉体を備えた、冷蔵庫。」
２　引用文献２
　当審において通知した拒絶の理由に引用された、本願の出願前に頒布された引用文献２には、「冷蔵庫」に関し、次の記載がある。なお、「・・・」は記載の省略を示す。
（１）引用文献２の記載
「【０００１】
　本発明は、貯蔵室を断熱扉により開閉する冷蔵庫に関する。
【背景技術】
【０００２】
　従来の冷蔵庫は特許文献１に開示されている。従来の冷蔵庫は貯蔵室の背後に蒸発器を備え、蒸発器と熱交換して生成される冷気によって貯蔵室が冷却される。貯蔵室の前面開口部は断熱扉により開閉される。
【０００３】
　断熱扉は前面に配されるガラス板と背面に配される樹脂成型品の内面板とを有する。ガラス板と内面板との間には発泡断熱材が充填される。ガラス板は四辺を覆う枠部材に挟持されることによって断熱扉に取り付けられている。
【０００４】
　ガラス板を断熱扉の前面に配することにより光沢感と高級感のある冷蔵庫となり、意匠性を向上させることができる。また、鋼板と比較して外面（前面）が滑らかであるので、清掃性を向上させることができる。」
「【００１８】
　以下に本発明の実施形態を図面を参照して説明する。図１、図２は第１実施形態の冷蔵庫の正面図及び右側面断面図を示している。冷蔵庫１は上部に冷蔵室２が配され、冷蔵室２の下方には製氷室４及び第１冷凍室３が左右に並設される。製氷室４及び第１冷凍室３の下方には第２冷凍室５が配され、第２冷凍室５の下方に野菜室６が配されている。冷蔵室２、第１冷凍室３、製氷室４、第２冷凍室５、及び野菜室６はそれぞれ貯蔵室を構成する。
【００１９】
　
冷蔵室２は
断熱扉２ａ、２ｂにより開閉され
断熱扉２ａ、２ｂはそれぞれ右端及び左端を支点に回動する。
【００２０】
　第１冷凍室３、製氷室４及び第２冷凍室５は連通して氷点以下に維持される。第１冷凍室３及び第２冷凍室５は収納ケース（不図示）と一体の引き出し式の断熱扉３ａ、５ａにより開閉され、貯蔵物を冷凍保存する。第２冷凍室５の容積は第１冷凍室３よりも大きく、貯蔵物をより多く冷凍保存できる。製氷室４は回動式の断熱扉４ａにより開閉され、氷を製氷して貯氷する。野菜室６は収納ケース（不図示）と一体の引き出し式の断熱扉６ａにより開閉され、冷蔵室２よりも高い室内温度（約８℃）で野菜を冷却保存する。
・・・
【００２４】
　図３は断熱扉２ａの正面図を示している。図４、図５は図３のＡ−Ａ断面図及びＢ−Ｂ断面図を示している。図６、図７は図４のＶ部及び図５のＷ部を拡大した拡大図を示している。
断熱扉２ａの前面にはガラス板２０が配される。
【００２５】
　ガラス板２０の背面には印刷塗料層（不図示）が設けられる。印刷塗料層によってガラス板２０を不透明化するとともに所定の印字が施される。印刷塗料層の背面には保護フィルム（不図示）が貼着されている。保護フィルムはガラス板２０が割れた場合にガラス片の飛散を防止するとともに印刷塗料層の剥離を防止する。保護フィルムは塩化ビニル製のシートから形成される。
【００２６】
　
ガラス板２０に貼着した保護フィルムの背面には金属板２６が配される。
ガラス板２０と発泡断熱材２５との間に金属板２６が配される。
【００２７】
　
金属板２６は例えば厚さ０．４５ｍｍの鉄板から形成される。これにより、ガラス板２０の前面にマグネットを付着させることができる。従って、使用者はマグネットを用いて断熱扉２ａの前面にメモ等を掲示することができ、利便性が向上する。マグネットとしてはネオジム磁石等の希土類磁石やフェライト磁石を用いることができる。
【００２８】
　断熱扉２ａの前面から見て金属板２６はガラス板２０と略同じ大きさに形成され、ガラス板２０の背面側を覆う。」
「【００５６】
　
図１２は第２実施形態の冷蔵庫１の断熱扉２ａを示す正面図である。
本実施形態は断熱扉２ａの前面から見た金属板２６の大きさ及び配置箇所が第１実施形態と異なっている。また、溝部５０が左辺部材２４ｄの他に上辺部材２４ａにも形成されている点で第１実施形態と異なっている（図１５、図１６参照）。その他の部分は第１実施形態と同様である。
【００５７】
　破線Ｍは金属板２６の外形を示している。
金属板２６は断熱扉２ａの前面から見てガラス板２０よりも小さく形成され、ガラス板２０の一部を覆っている。
金属板２６は接着テープ（不図示）等でガラス板２０の背面に貼着される。
「【００６７】
　第１、第２実施形態において、冷蔵室２の断熱扉２ａを例として説明したが、他の断熱扉２ｂ、３ａ、４ａ、５ａ、６ａを断熱扉２ａと同様な構成にしてもよい。
【００６８】
　金属板２６を他の磁性体、例えばマルテンサイト系のステンレス鋼により形成してもよい。また、金属板２６を非磁性のアルミニウム、オーステナイト系のステンレス鋼等により形成してもよい。」
「
」
（２）引用発明２
　上記（１）によると、引用文献２には、次の発明（以下「引用発明２」という。）が記載されていると認める。
「冷蔵室２を開閉し、それぞれ右端及び左端を支点に回動する左右一対の断熱扉２ａ、２ｂと、
　右側の前記断熱扉２ａの前面に配されたガラス板２０と、を備え、
　前記ガラス板２０に貼着した保護フィルムの背面には、前記断熱扉２ａの前面から見て前記ガラス板２０よりも小さく形成され、厚さ０．４５ｍｍの鉄板から形成された金属板２６が配されて、前記ガラス板２０の前面にマグネットを付着できるようにされた冷蔵庫１。」
（３）引用文献２の事項
　上記（１）によると、引用文献２には、次の事項（以下「引用文献２の事項」という。）が記載されていると認める。
「左右一対の断熱扉２ａ、２ｂを設けた冷蔵庫において、右側の断熱扉２ａにおけるガラス板２０の裏面に、前面から見て前記ガラス板２０よりも小さく形成され、厚さ０．４５ｍｍの鉄板から形成された金属板２６を配置して、前記ガラス板２０の前面にマグネットを付着できるようにすること。」
３　引用文献３
　当審において通知した拒絶の理由に引用された、本願の出願前に頒布された引用文献３には、「家電機器」に関し、次の記載がある。
（１）引用文献３の記載
「【０００１】
　本発明は、冷蔵庫、加熱調理器、洗濯機、乾燥機、洗濯乾燥機などのネットワーク家電機器に関するものである。
【背景技術】
【０００２】
　
最近、インターネット等の電気通信回線を介して、遠隔地から食品の在庫状況が確認できる冷蔵庫や（例えば、特許文献１参照）
などが提案されている。
【特許文献１】 特開２００２−２３６７９８公報
【発明の開示】
【発明が解決しようとする課題】
【０００３】
　消費者は、上記のような無線通信機能を有したネットワーク家電機器を希望する場合には、予めその無線通信機能を内蔵した家電機器を購入しなければならない。しかし、冷蔵庫などの家電機器においては寿命が長く、高価なものであるため、単に無線通信機能を希望するためだけのために冷蔵庫などの家電機器を買い換えることは困難であるという問題点がある。
【０００４】
　また、
冷蔵庫などの家電機器は、本体を構成するキャビネットは金属製であるため、無線通信機能を有する部分をこのキャビネットの外側に取り付ける必要があり、家電機器の外観を損なうという問題点がある。
【０００５】
　そこで、本発明は上記問題点に鑑み、消費者が希望する場合には、無線通信機能を後から追加することができ、また、その外観の体裁も良い家電機器を提供する。」
「【００１２】
　請求項１に係る発明の家電機器においては、収納部に無線通信アダプターが収納されている時には、接続コネクターを介して制御手段に接続され、家電機器の制御手段は無線通信アダプターによって受信した情報に基づいて家電機器を制御すると共に、この家電機器に関する情報を無線通信アダプターを介して外部に送信できる。一方、収納部に無線通信アダプターが収納されていないときには、記憶手段に記憶された情報に基づいて従来と同様に家電機器を制御することができる。
【００１３】
　請求項２に係る発明の家電機器においては、
無線通信アダプターが、省力無線、Ｂｌｕｅｔｏｏｔｈ、無線ＬＡＮの機能を有し、外部と容易に無線通信を行なうことができる。
【００１４】
　請求項３に係る発明の家電機器においては、この家電機器が冷蔵庫、空気調和機、加熱調理器、洗濯機、乾燥機、または洗濯乾燥機であり、消費者はこれらの家電機器を購入した場合に、後から無線通信アダプターを取り付けることにより、無線通信機能を追加することができる。
【００１５】
　請求項４に係る発明の冷蔵庫においては、貯蔵室のヒンジ開閉式の扉の下部に収納部が設けられているため、
無線通信アダプター全体が金属板で覆われることなく、外部と電波によって通信することができ
「【００１９】
（第１の実施形態）
　本発明の第１の実施形態の家電機器である冷蔵庫１０について図１〜図５に基づいて説明する。
【００２０】
（１）冷蔵庫１０の構成
　図１に示すように、冷蔵庫１０のキャビネット１２には、上段から冷蔵室１４、野菜室１６、切替室１８、冷凍室２０が設けられ、切替室１８の左側には製氷室２２が設けられている。
【００２１】
　冷蔵室１４の前面には、ヒンジ開閉式の扉２４が設けられ、野菜室１６、切替室１８、冷凍室２０、製氷室２２には、それぞれ引出し式の扉２６，２８，３０，３２が設けられている。
【００２２】
　キャビネット１２の背面には、この冷蔵庫１０を制御するための主制御部３２が設けられている。
【００２３】
（２）冷蔵室１４の扉２４の構造
　冷蔵室１４の扉２４の構造について、図１〜図３に基づいて説明する。
【００２４】
　扉２４の前面は、金属製の前面板３４によって覆われ、後面側は合成樹脂などによって形成された後面板３６によって覆われており、この後面板に不図示の食品などを収納する棚などが形成されている。前面板３４と後面板との間には断熱部材３５が配されている。
【００２５】
　
前面板３４の下部には、切欠き部が設けられ
この位置に表示部３６、操作部３８が設けられている
操作部３８はこの表示部３６の近傍に設けられ、表示部３６と操作部３８とは、合成樹脂製の固定部材４４によって扉２４の切欠き部に固定されている
【００２６】
　表示部３６の後面には、図４に示す操作制御部４０を有した配線基板４２が設けられている。この配線基板４２は、図２に示すように、固定部材４４から突出している枠部材４６によって支持され、この枠部材４６が、配線基板４２の上面、両側面を支持するように囲んでいる。また、配線基板４２の下面は、４つのリブ４８によって支持されている。この配線基板４２の下部中央部から、コネクター５０が突出している。
【００２７】
　
合成樹脂製の固定部材４４の下面、すなわち、扉２４の下部にはカード型の無線通信アダプター５２を収納するための収納部５４が設けられている。この収納部５４は、扉２４の下面に開口部５６が開口し、この開口部５６から無線通信アダプター５２が収納できる。この収納部５４に無線通信アダプター５２を収納すると、無線通信アダプター５２の接続端子にコネクター５０が接続されて、操作制御部４０と電気的に接続されると共に、無線通信アダプター５２が収納部５４から落下しない。
【００２８】
（３）冷蔵庫１０の電気的構成
　次に、図４のブロック図に基づいて冷蔵庫１０の電気的構成について説明する。
【００２９】
　
冷蔵庫１０の主制御部３２には、操作制御部４０が接続されている。操作制御部４０には、表示部３６、操作部３８が接続されている。操作制御部４０には、コネクター５０を介して、無線通信アダプター５２の無線通信部５３が接続される。この無線通信アダプター５２は、カード型であって、省力無線、Ｂｌｕｅｔｏｏｔｈ、無線ＬＡＮの中の一つの機能を無線通信部５３が有し、例えば、インターネットを介して情報を送受信することができる。
【００３０】
　
操作制御部４０は、主制御部３２と、設定変更指示や状態通知の情報を送受信する。
無線通信アダプター５２からは、外部の周辺機器からの遠隔指示に関する情報を受信し、外部周辺機器に対し状態変更や受信確認の信号を送信する。
【００３１】
　主制御部３２は、冷蔵庫１０のコンプレッサ、冷却ファン、ダンパー、製氷器などを制御するものであり、操作制御部４０からの設定変更指示に関する情報に基づいて制御を行ない、また、操作制御部からこの設定変更指示情報がない場合には、主制御部３２に設けられているメモリに内蔵されたプログラムに基づいてコンプレッサ、冷却ファン、ダンパー、製氷器などを制御する。主制御部３２は、現在のコンプレッサの運転状況などの状態通知を操作制御部４０に送信する。
【００３２】
（４）無線通信アダプター５２に関する動作内容
　上記構成の冷蔵庫１０において、無線通信アダプター５２を用いた場合の動作内容について説明する。
【００３３】
　ステップ１において、冷蔵庫１０の電源を初期投入したり、操作部３８におけるリセットボタンを操作することにより、機器の設定開始を行なう。
【００３４】
　ステップ２において、操作制御部４０は、無線通信アダプター５２を接続されているか否かの信号を送信する。
【００３５】
　ステップ３において、収納部５４に無線通信アダプター５２が収納され接続されている場合には、無線通信アダプター５２からの確認信号の応答が有るためステップ４に進み、収納部５４に無線通信アダプター５２が収納されていない場合には応答信号がないためステップ５に進む。
【００３６】
　ステップ４において、無線通信アダプター５２からの応答信号が有ったため、外部からの情報に基づいて主制御部３２が冷蔵庫１０を制御する。すなわち、ネットワークモードにおいて制御を行なう。そして終了する。
【００３７】
　ステップ５において、無線通信アダプター５２からの応答がないため、主制御部３２は、自己が記憶しているプログラムに基づいて冷蔵庫１０を単体として動作させる。そして終了する。
【００３８】
　以上のように
本実施形態の冷蔵庫１０であると、無線通信アダプター５２が収納部５４に収納されている場合には、ネットワークモードで遠隔操作による冷蔵庫１０の制御が行なわれ
【００３９】
　無線通信アダプター５２は、冷蔵庫１０と同時に購入する必要はなく、消費者が無線通信機能を希望した場合に後から購入して取り付けることにより、無線通信機能を追加することができる。
【００４０】
　
無線通信アダプター５２は扉２４の収納部５４に収納されているため、外観上この無線通信アダプター５２が収納されている状態が見えず、外観を損なう恐れがない。無線通信アダプター５２が収納されている収納部５４は合成樹脂製の固定部材４４の位置に設けられているため、電波の送受信を行なうことができる。
「
【図４】
」
（２）引用文献３の事項
　上記（１）によると、引用文献３には、次の事項（以下「引用文献３の事項」という。）が記載されていると認める。
「冷蔵庫の扉２４における金属製の前面板３４の下部に設けられた切欠き部の位置において、合成樹脂製の固定部材４４の位置に設けられた収納部５４に、無線通信アダプター５２を収納することにより、電波の送受信を行なうことができるようにすること。」
４　引用文献４
（１）引用文献４の記載
　当審において通知した拒絶の理由に引用された、本願の出願前に頒布された引用文献４には、「冷蔵庫」に関し、次の記載がある。なお、「・・・」は記載の省略を示す。
「【請求項１】
　冷蔵庫本体の前面に扉を配した冷蔵庫において、
　
前記扉に内蔵した無線タグ
　前記冷蔵庫本体に内蔵され、前記無線タグと通信を行う第１リードライタと、
　前記冷蔵庫本体に内蔵され、前記第１リードライタを介して前記無線タグとデータを送受信する第１制御部と、
　前記冷蔵庫と別体であり、前記無線タグと通信を行う第２リードライタと、前記第２リードライタを介して前記無線タグと前記データを送受信する第２制御部を有する端末と、
　を有する冷蔵庫。
・・・
【請求項４】
　
前記無線タグを内蔵した前記扉付近の材質が、合成樹脂製である
　請求項１記載の冷蔵庫。」
「【０００１】
　本発明は、家庭用の冷蔵庫に関するものである。
・・・
【０００６】
　そこで、
本発明は上記問題点に鑑み、扉の構成を簡素化することができると共に、コストを低く抑えて外部から冷蔵庫を操作することができる冷蔵庫を提供する。
【課題を解決するための手段】
【０００７】
　本発明は、
冷蔵庫本体の前面に扉を配した冷蔵庫において、前記扉に内蔵した無線タグと
を有する冷蔵庫
【発明の効果】
【０００８】
　
本発明によれば、扉内部には無線タグを内蔵するのみである
「【００１５】
　
冷蔵室１４の扉２６の上部であって、かつ、幅方向の中央部には無線タグ３８が内蔵
【００１６】
　
無線タグ３８が設けられている近傍における扉２６の前面パネルは、他の部分の金属板とは異なり、非金属製である合成樹脂板５４によって形成されており、また、無線タグ３８が配されている扉２６の裏面側も合成樹脂板によって形成されている。
・・・
【００１９】
　
扉２６に内蔵された無線タグ３８は、その検出範囲が１０ｃｍ程度の電磁誘導方式近傍型のものである。
【００２０】
　本体リードライタ４０は、本体制御部３６と接続され、この本体リードライタ４０を介して無線タグ３８とデータを送受信することができる。
【００２１】
　本体制御部３６は、マイコンより構成され、データを格納するためのメモリ５２が設けられている。
【００２２】
　小型端末４２は、図３に示すように内部に端末制御部４４を内蔵し、この端末制御部４４に、操作用のスイッチ４６とディスプレイ４８と、端末リードライタ５０が設けられている。この端末リードライタ５０は、無線タグ３８とデータの送受信をすることができる。」
「【００２７】
（４）効果
　本実施形態の冷蔵庫１０であると、ユーザがデータの読み書きを行う際に扉２６を開けることがなく、扉２６に小型端末４２をかざすだけでよい。
【００２８】
　また、扉２６の構造も、従来のように操作パネルや束線を設けることなく、無線タグ３８を１枚埋め込むだけでよいため、構造を簡素化することができ、取り付け作業も煩雑にならない。
【００２９】
　また、
無線タグ３８が取り付けられている扉２６の近傍は金属製ではなく非金属製であるため、送受信を確実に行うことができる。
【００３０】
　また、冷蔵庫１０の扉２６には右開きと左開きのものがあるが、無線タグ３８は扉２６の中央に設置されているため、どちらの扉２６にも対応でき、製造時の取り付けの構成を簡素化することができる。」
「
」
（２）引用文献４の事項
　上記（１）によると、引用文献４には、次の事項（以下「引用文献４の事項」という。）が記載されていると認める。
「冷蔵庫の扉２６の非金属製である合成樹脂板によって形成された前面パネルの部分に無線タグ３８を設けることにより、送受信を確実に行うことができるようにすること。」
第５　対比・判断
１　引用発明１を主とした理由について
（１）対比
　本願発明と引用発明１とを、その機能、構造又は技術的意義を考慮して対比する。
・後者の「冷蔵庫」は、前者の「冷蔵庫」に相当する。
・後者の「前面に透明層６ａと、裏面に着色層６ｂを有する着色ガラス板６と、前記着色ガラス板６の全周に設けた枠体７と、前記着色ガラス板６に対向して設けた内板２と、前記着色ガラス板６・枠体７・内板２間に発泡充填された断熱材４からなる扉体」は、冷蔵室等の貯蔵室の前面開口部を覆うように取り付けられるもの、すなわち、冷蔵庫本体の前面開口部に取り付けられるものであるから、前者の「冷蔵庫本体の前面開口部に取り付けられた扉本体」に相当する。
　そして、後者の「扉体」における「前面に透明層６ａと、裏面に着色層６ｂを有する着色ガラス板６」は、ガラス製であるために非導電性であることは明らかであり、「扉体」の前面に設置されるから、前者の「前記扉本体の前面に設置された非導電性の前面板」に相当する。
　したがって、両者は、
「冷蔵庫本体の前面開口部に取り付けられた扉本体と、
　前記扉本体の前面に設置された非導電性の前面板と、を備えた冷蔵庫。」
の点で一致し、以下の点で相違している。
［相違点Ａ］
　本願発明では、「前記扉本体における前記前面板の裏側に設置され、情報の無線通信を行う無線通信部と、を備え、
　前記前面板の裏面の前記無線通信部に対向する位置には導電性部材が配置されておらず、前記前面板の裏面の当該位置と異なる位置に導電性部材が配置され、
　前記扉本体は左右一対設けられ、
　前記無線通信部は、前記左右一対の扉本体のうちの一方の扉本体に設けられ、かつ、前記冷蔵庫本体の左右の側壁のうち、当該一方の扉本体が位置する側の側壁に近い位置に設けられ、
　前記導電性部材は、前記左右一対の扉本体のうちの他方に設けられている」のに対して、引用発明１では、そのような特定はされていない点。
（２）判断
ア　相違点Ａの検討
　冷蔵庫において、扉本体を左右一対設けることは、本願の出願前にごく普通に行われていることであり、引用発明１においても、「扉体（扉本体）を左右一対設け」たものが当然に想定される。
　そして、引用文献２の事項は、右側の断熱扉２ａ（扉本体）におけるガラス板２０（非導電性の前面板）の前面にマグネットを付着できるところ、使用者はマグネットを用いて断熱扉２ａの前面にメモ等を掲示することができ、冷蔵庫の利便性が向上するのであるから、冷蔵庫という共通の技術分野に属する引用発明１において、引用文献２の事項を適用し、左右一対設けられた扉体のいずれかにおける「着色ガラス板６（前面板）の裏面」に「金属板２６（導電性部材）」を配置することは、当業者が容易に想到し得たことである。
　また、無線通信部が金属製の部材で覆われると情報の無線通信が妨げられてしまうことが、本願の出願前に技術常識であることを考慮すると、引用文献３の事項及び引用文献４の事項は、冷蔵庫の扉本体における金属製の部材（導電性部材）によって前面が覆われない箇所に無線通信アダプターや無線タグ等の無線通信部を配置することにより情報の無線通信を行うことを可能とするものといえる。
　そして、引用文献３の事項及び引用文献４の事項は、遠隔地から冷蔵庫の食品の在庫状況が確認できたり（引用文献３の段落０００２）、外部から冷蔵庫を操作することができる（引用文献４の段落０００６）ようにするものであり、冷蔵庫の利便性を向上するものであるから、冷蔵庫という共通の技術分野に属する引用発明１において、引用文献３の事項及び引用文献４の事項を適用し、「扉体（扉本体）における着色ガラス板６（前面板）の裏側に設置され、情報の無線通信を行う無線通信部」を、左右一対設けられた扉体のいずれかにおける金属製の部材（導電性部材）によって前面が覆われない箇所に設けて、情報の無線通信が妨げられないようにすることは、当業者が容易に想到し得たことである。
　また、引用発明１において、着色ガラス板６（前面板）の裏面に金属板（導電性部材）と無線通信部を配置する際に、冷蔵庫の前面からみて金属板（導電性部材）と無線通信部とが重ならず、無線通信部による情報の無線通信を妨げないようにすること以外、無線通信部は、左右一対設けられた扉体のいずれかにおける任意の箇所に配置できるのであるから、「着色ガラス板６（前面板）の裏面の無線通信部に対向する位置には金属板（導電性部材）が配置されておらず、前記着色ガラス板６の裏面の当該位置と異なる位置に金属板が配置され」、「前記無線通信部は、左右一対の扉体（扉本体）のうちの一方の扉体に設けられ、かつ、冷蔵庫本体の左右の側壁のうち、当該一方の扉体が位置する側の側壁に近い位置に設けられ、前記金属板は、前記左右一対の扉体のうちの他方に設けられている」ようにすることは、冷蔵庫の利便性、無線通信部への配線のし易さ、コスト等を考慮して、当業者が適宜なし得たことである。
　そうすると、引用発明１において、上記相違点Ａに係る本願発明の構成とすることは、引用文献２の事項、引用文献３の事項及び引用文献４の事項に基づいて、当業者が容易になし得たことである。
イ　効果について
　そして、本願発明は、全体としてみても、引用発明１、引用文献２の事項、引用文献３の事項及び引用文献４の事項から予測し得る範囲のものである。
ウ　小括
　したがって、本願発明は、引用発明１、引用文献２の事項、引用文献３の事項及び引用文献４の事項に基いて、当業者が容易に発明をすることができたものである。
２　引用発明２を主とした理由について
（１）対比
　本願発明と引用発明２とを、その機能、構造又は技術的意義を考慮して対比する。
・後者の「冷蔵庫１」は、前者の「冷蔵庫」に相当する。
・後者の「冷蔵室２を開閉し、それぞれ右端及び左端を支点に回動する左右一対の断熱扉２ａ、２ｂ」は、冷蔵室の前面開口部を覆うように取り付けられるもの、すなわち、冷蔵庫本体の前面開口部に取り付けられるものであるから、前者の「冷蔵庫本体の前面開口部に取り付けられた扉本体」に相当する。　　　
　そして、後者においても、「左右一対の断熱扉２ａ、２ｂ」を備えることから、前者の「前記扉本体は左右一対設けられ」る態様を備えている。
・後者の「右側の前記断熱扉２ａの前面に配されたガラス板２０」は、ガラス製であるために非導電性であることは明らかであり、「断熱扉２ａ」の前面に設置されるから、前者の「前記扉本体の前面に設置された非導電性の前面板」に相当する。
・後者の「前記ガラス板２０に貼着した保護フィルムの背面には、前記断熱扉２ａの前面から見て前記ガラス板２０よりも小さく形成され、厚さ０．４５ｍｍの鉄板から形成された金属板２６が配されて、前記ガラス板２０の前面にマグネットを付着できるようにされた」態様は、前者の「前記前面板の裏面の前記無線通信部に対向する位置には導電性部材が配置されておらず、前記前面板の裏面の当該位置と異なる位置に導電性部材が配置され」、「前記導電性部材は、前記左右一対の扉本体のうちの他方に設けられている」に、「前記前面板の裏面に導電性部材が配置され」、「前記導電性部材は、前記左右一対の扉本体のうちの少なくとも一方に設けられている」ている、という限りにおいて一致する。
　したがって、両者は、
「冷蔵庫本体の前面開口部に取り付けられた扉本体と、
　前記扉本体の前面に設置された非導電性の前面板と、を備え、
　前記前面板の裏面に導電性部材が配置され、
　前記扉本体は左右一対設けられ、
　前記導電性部材は、前記左右一対の扉本体のうちの少なくとも一方に設けられている冷蔵庫。」
の点で一致し、以下の点で相違している。
［相違点Ｂ−１］
　本願発明では、「前記扉本体における前記前面板の裏側に設置され、情報の無線通信を行う無線通信部」を備え、「前記無線通信部は、前記左右一対の扉本体のうちの一方の扉本体に設けられ、かつ、前記冷蔵庫本体の左右の側壁のうち、当該一方の扉本体が位置する側の側壁に近い位置に設けられ」るのに対して、引用発明２では、そのような無線通信部を備えていない点。
［相違点Ｂ−２］
　「前記前面板の裏面に導電性部材が配置され」、「前記導電性部材は、前記左右一対の扉本体のうちの少なくとも一方に設けられている」ことに関し、本願発明では、「前記前面板の裏面の前記無線通信部に対向する位置には導電性部材が配置されておらず、前記前面板の裏面の当該位置と異なる位置に導電性部材が配置され」、「前記導電性部材は、前記左右一対の扉本体のうちの他方に設けられている」のに対して、引用発明２では、「前記ガラス板２０に貼着した保護フィルムの背面には、前記断熱扉２ａの前面から見て前記ガラス板２０よりも小さく形成され、厚さ０．４５ｍｍの鉄板から形成された金属板２６が配されて、前記ガラス板２０の前面にマグネットを付着できるようにされた」点。
（２）判断
ア　相違点の検討
　上記相違点Ｂ−１及びＢ−２について検討する。
　引用発明２の左側の断熱扉２ｂについては、引用文献２の段落００６７に「第１、第２実施形態において、冷蔵室２の断熱扉２ａを例として説明したが、他の断熱扉２ｂ、３ａ、４ａ、５ａ、６ａを断熱扉２ａと同様な構成にしてもよい。」と記載されているように、金属板２６を設けることは任意であって、金属板２６を設けない態様が想定され、また、断熱扉の前面にガラス板を配することが従来より行われていること（引用文献２の段落０００２〜０００４）を考慮すると、前面にガラス板を配する態様が想定される。
　また、無線通信部が金属製の部材で覆われると情報の無線通信が妨げられてしまうことが、本願の出願前に技術常識であることを考慮すると、引用文献３の事項及び引用文献４の事項は、冷蔵庫の扉本体における金属製の部材（導電性部材）によって前面が覆われない箇所に無線通信アダプターや無線タグ等の無線通信部を配置することにより情報の無線通信を行うことを可能とするものといえる。
　そして、引用文献３の事項及び引用文献４の事項は、遠隔地から冷蔵庫の食品の在庫状況が確認できたり（引用文献３の段落０００２）、外部から冷蔵庫を操作することができる（引用文献４の段落０００６）ようにするものであり、冷蔵庫の利便性を向上するものであるから、冷蔵庫という共通の技術分野に属する引用発明２において、引用文献３の事項及び引用文献４の事項を適用し、「断熱扉（扉本体）におけるガラス板（前面板）の裏側に設置され、情報の無線通信を行う無線通信部」を、左右一対設けられた断熱扉２ａ、２ｂのいずれかにおける金属版２６（導電性部材）によって前面が覆われない箇所に設けて、情報の無線通信が妨げられないようにすることは、当業者が容易に想到し得たことである。
　また、引用発明２において、ガラス板（前面板）の裏面に金属板２６（導電性部材）と無線通信部を配置する際に、冷蔵庫の前面からみて金属板２６（導電性部材）と無線通信部とが重ならず、無線通信部による情報の無線通信を妨げないようにすること以外、無線通信部は、左右一対設けられた断熱扉２ａ、２ｂのいずれかにおける任意の箇所に配置できるのであるから、「ガラス板（前面板）の裏面の無線通信部に対向する位置には金属板２６（導電性部材）が配置されておらず、前記ガラス板の裏面の当該位置と異なる位置に金属板２６（金属板）が配置され」、「前記無線通信部は、左右一対の断熱扉２ａ、２ｂ（扉本体）のうちの左側の断熱扉２ｂ（一方の扉本体）に設けられ、かつ、冷蔵庫本体の左右の側壁のうち、当該左側の断熱扉２ｂが位置する側の側壁に近い位置に設けられ、前記金属板２６は、前記左右一対の断熱扉２ａ、２ｂのうちの右側の断熱扉２ａ（他方）に設けられている」ようにすることは、冷蔵庫の利便性、無線通信部への配線のし易さ、コスト等を考慮して、当業者が適宜なし得たことである。
　そうすると、引用発明２において、上記相違点Ｂ−１及びＢ−２に係る本願発明の構成とすることは、引用文献３の事項及び引用文献４の事項に基づいて、当業者が容易になし得たことである。
イ　効果について
　そして、本願発明は、全体としてみても、引用発明２、引用文献３の事項及び引用文献４の事項から予測し得る範囲のものである。
ウ　小括
　したがって、本願発明は、引用発明２、引用文献３の事項及び引用文献４の事項に基いて、当業者が容易に発明をすることができたものである。
３　請求人の主張について
　なお、請求人は、令和２年５月１３日に提出された意見書において、「このように、引用文献１〜４のいずれにも、本願発明の特に前記した構成『Ｆ』、すなわち『前記無線通信部は、前記左右一対の扉本体のうちの一方の扉本体に設けられ、かつ、前記冷蔵庫本体の左右の側壁のうち、当該一方の扉本体が位置する側の側壁に近い位置に設けられ、前記導電性部材は、前記左右一対の扉本体のうちの他方に設けられている』ことの記載がない。
　このため、引用文献１〜４に記載の発明をどのように組み合わせても、本願発明に想到することはない。
　本願発明は、左右一対の扉本体のうちの一方の扉本体に設けた無線通信部を、冷蔵庫本体の左右の側壁のうち、当該一方の扉本体が位置する側の側壁に近い位置に設けることで、無線通信部が他方の扉に設けた導電性部材からより離れた位置に配置されることとなる。これにより、前面板の裏側に配置した無線通信部は、導電性部材の影響を受けにくくなって通信機能を維持できるのであり、このような点については引用文献１〜４には一切開示がない。」（２頁１８行〜同頁３０行）という主張をする。
　しかしながら、本願発明において、「前記無線通信部は、前記左右一対の扉本体のうちの一方の扉本体に設けられ、かつ、前記冷蔵庫本体の左右の側壁のうち、当該一方の扉本体が位置する側の側壁に近い位置に設けられ、前記導電性部材は、前記左右一対の扉本体のうちの他方に設けられている」ことについては、無線通信部が導電性の部材（金属製の部材）で覆われると情報の無線通信が妨げられてしまうことが、本願の出願前に技術常識であり、無線通信部を情報の無線通信が妨げられないように導電性部材から離して配置することは設計上考慮されることであるから、上記１及び２で検討したとおり、当業者が適宜なし得たことである。
　また、「前面板の裏側に配置した無線通信部は、導電性部材の影響を受けにくくなって通信機能を維持できる」という効果についても、引用発明１において、着色ガラス板６（前面板）の裏面に金属板（導電性部材）と無線通信部を配置する際に考慮されることであり、また、引用発明２において、ガラス板（前面版）の裏面に金属板２６（導電性部材）と無線通信部を配置する際に考慮されることであって、格別なものとは認めることができない。
　そうすると、上記請求人の主張は採用することができない。
４　まとめ
　上記１ないし３の検討によれば、本願発明は、引用発明１、引用文献２の事項、引用文献３の事項及び引用文献４の事項に基いて、又は、引用発明２、引用文献３の事項及び引用文献４の事項に基いて、当業者が容易に発明をすることができたものであるから、特許法第２９条第２項の規定により、特許を受けることができない。
第６　むすび
　以上のとおり、本願発明は、特許法第２９条第２項の規定により、特許を受けることができないから、他の請求項に係る発明について検討するまでもなく、本願は拒絶すべきものである。
　よって、結論のとおり審決する。